(57)【特許請求の範囲】
【請求項１】
設置台に固定的に設置される固定体(A)の前側に、開閉体(B)を着脱および開閉可能に連結するための縦型遊技機の開閉連結装置(C1,C2)であって、
前記開閉連結装置(C1,C2)は、
前記固定体(A)の一側端の所要位置に配設され、該固定体(A)の横方向に延在するガイド溝(30)および支軸孔(31)を設けた第１支持部材(20)と、
前記開閉体(B)の一側端の所要位置に配設され、前記第１支持部材(20)のガイド溝(30)に係脱可能に係合する第１支軸(27)を設けた第２支持部材(21)と、
前記第２支持部材(21)の所要位置に第３支軸(29)を介して一方の端部が枢支されると共に、他方の端部に設けた第２支軸(28)を前記第１支持部材(20)の支軸孔(31)に係合させることで該第１支持部材(20)に枢支可能なアーム部材(22)と、
前記アーム部材(22)の他方の端部に配設されて前記第２支軸(28)を支持し、該第２支軸(28)を前記支軸孔(31)側に突出させて該支軸孔(31)に嵌入可能とした第１位置と、前記第２支軸(28)を支軸孔(31)から退避させて該支軸孔(31)に嵌入不能とした第２位置とに変位させ得る支軸係脱手段(23)とからなり、
前記第１支軸(27)を前記ガイド溝(30)に係合すると共に、前記支軸係脱手段(23)により前記第２支軸(28)を前記第１位置へ変位させて該第２支軸(28)を前記支軸孔(31)に嵌入することで、前記第２支持部材(21)を前記第１支持部材(20)に連結して前記開閉体(B)を前記固定体(A)に組付け、
前記支軸係脱手段(23)により前記第２支軸(28)を前記第２位置へ変位させて該第２支軸(28)と前記支軸孔(31)との係合を解除すると共に、前記第１支軸(27)と前記ガイド溝(30)との係合を解除することで、前記第２支持部材(21)を前記第１支持部材(20)から分離して前記開閉体(B)を前記固定体(A)から組外すよう構成した
ことを特徴とする縦型遊技機の開閉連結装置。
【請求項２】
前記開閉連結装置(C1)における前記ガイド溝(30)は、その一端部に前記第１支軸(27)の係脱を許容する出入口(52)を有し、該第１支軸(27)はこの出入口(52)を介して前記ガイド溝(30)に係脱可能となっている請求項１記載の縦型遊技機の開閉連結装置。
【請求項３】
前記開閉連結装置(C1)は、前記ガイド溝(30)の出入口(52)に隣接して開閉部材(42)を有し、
前記開閉部材(42)を第１位置に姿勢保持した際には前記出入口(52)が閉成され、前記ガイド溝(30)に対する前記第１支軸(27)の係脱が不能とされ、
前記開閉部材(42)を第２位置に姿勢保持した際には前記出入口(52)が開放され、前記ガイド溝(30)に対する前記第１支軸(27)の係脱が可能とされる請求項２記載の縦型遊技機の開閉連結装置。
【請求項４】
前記第２支持部材(21)は、前記第１支軸(27)が前記ガイド溝(30)に係合すると共に前記第２支軸(28)が前記支軸孔(31)に係合した状態において、前記アーム部材(22)の回動変位に基づく前記第３支軸(29)の円弧移動、および前記第１支軸(27)のガイド溝(30)に沿う移動により、前記第１支持部材(20)に対して横方向へスライド変位しながら回動変位して、前記開閉体(B)を前記固定体(A)の前面中央方向へ移動させつつ開放させ得るようになっている請求項１〜３の何れかに記載の縦型遊技機の開閉連結装置。
【請求項５】
前記固定体(A)および開閉体(B)の一側縁における上部同士が第１の開閉連結装置(C1)で連結され、また固定体(A)および開閉体(B)の一側縁における下部同士が第２の開閉連結装置(C2)で連結されている請求項１〜４の何れかに記載の縦型遊技機の開閉連結装置。
【発明の詳細な説明】
【０００１】
【発明の属する技術分野】
この発明は、縦型遊技機の開閉連結装置に関し、更に詳細には、遊技ホールの設置台に縦向きの設置姿勢で遊技に供される縦型遊技機において、設置台に固定的に設置される固定体の前側に、開閉体を着脱および開閉可能に連結するための開閉連結装置に関するものである。
【０００２】
【従来の技術】
例えば、パチンコ機やアレンジボール機等に代表されるこの種の縦型遊技機では、遊技ホールの設置台に固定的に設置される固定体としての外枠の開口前面側に、各種の必要な遊技構成部材を搭載した開閉体としての前枠が、両枠側縁の上,下部に配設された開閉連結装置を利用して開閉(横開き)可能に組付けられて、１台単位で構成されている。前記開閉連結装置については、従来から最も一般化されている形式として軸および孔を含む嵌挿連結タイプがあり、例えば前記外枠の一側端に回動支軸を設けると共に、前記前枠の一側端に軸孔を設け、前記回動支軸を前記軸孔へ嵌挿させることにより、外枠に対して前枠を開閉可能に連結支持するようになっている。
【０００３】
しかしながら前述した開閉連結装置では、常には前枠の開閉中心が固定されているため、前枠を外枠から開放するに際して、該前枠に搭載した遊技構成部材が隣接する遊技機や台間サンド等に干渉することがあった。このため、前枠の充分な開放角度(例えば９０度以上)を確保できなかったり、または不用意に勢いよく開放させて前記遊技構成部材を破損させてしまう等の問題が発生していた。
【０００４】
そこで前述した問題を解消するため、前記外枠と前記前枠とを、複数のアーム部材を連繋して構成したリンク機構で連結支持し、これらアーム部材のリンク運動を利用して前枠の回動中心を移動させるようにした開閉連結装置も提案されている。このようなリンク機構からなる開閉連結装置によれば、前枠を外枠から開放させるに際し、該前枠を外枠の前方側や中央側へ偏倚させることが可能となるから、隣接する遊技機や台間サンド等と該前枠との干渉が好適に回避されると共に、充分な開放角度を確保し得るようになる。
【０００５】
【発明が解決しようとする課題】
しかしながら、リンク機構からなる従来の開閉連結装置は、複数のアーム部材から構成されているため、部品点数の増加に伴うコストアップを招来する問題を内在していた。しかも、構造が複雑であるから組立て作業に手間や時間がかかり、これもコストアップを招来する原因となっている。更には、構造が複雑であるから故障が発生し易いと共にスムーズに動かなくなることもあり、前枠の確実かつ円滑な開放変位を保証し得ない欠点も指摘される。
【０００６】
更に、前述したリンク機構からなる開閉連結装置では、各アーム部材同士が容易な分離が不能に連結されていた。従って、例えば前記前枠を前記外枠から組み外す必要が生じた場合には、▲１▼前枠または外枠に対して開閉連結装置を固定しているネジを緩み外し、これら開閉連結装置と前枠または外枠を分離させる、▲２▼アーム部材同士を連結している支軸を専用工具を使用して取外し、両アーム部材同士を分離する、等の方法を採って前枠と外枠とを分離するしかなく、非常に手間と時間がかかると共に煩雑な作業を伴っていた。すなわち、リンク機構からなる従来の開閉連結装置は、外枠に対する前枠の着脱容易化を図るという技術的思想は全くなかった。
【０００７】
【発明の目的】
本発明は、前述した課題を好適に解決するべく提案されたもので、構成部品点数を最小限とした簡単な構成とすることで、製造コストの低減、組立作業の容易化および合理化、固定体に対する開閉体の円滑な開放の保証等を図る一方、構成部材同士を容易に連結・分離し得る構造とすることで固定体に対する開閉体の着脱の容易化を図った縦型遊技機の開閉連結装置を提供することを目的とする。
【０００８】
【課題を解決するための手段】
前述した課題を克服し、所期の目的を好適に達成するため本発明は、設置台に固定的に設置される固定体の前側に、開閉体を着脱および開閉可能に連結するための縦型遊技機の開閉連結装置であって、
前記開閉連結装置は、
前記固定体の一側端の所要位置に配設され、該固定体の横方向に延在するガイド溝および支軸孔を設けた第１支持部材と、
前記開閉体の一側端の所要位置に配設され、前記第１支持部材のガイド溝に係脱可能に係合する第１支軸を設けた第２支持部材と、
前記第２支持部材の所要位置に第３支軸を介して一方の端部が枢支されると共に、他方の端部に設けた第２支軸を前記第１支持部材の支軸孔に係合させることで該第１支持部材に枢支可能なアーム部材と、
前記アーム部材の他方の端部に配設されて前記第２支軸を支持し、該第２支軸を前記支軸孔側に突出させて該支軸孔に嵌入可能とした第１位置と、前記第２支軸を支軸孔から退避させて該支軸孔に嵌入不能とした第２位置とに変位させ得る支軸係脱手段とからなり、
前記第１支軸を前記ガイド溝に係合すると共に、前記支軸係脱手段により前記第２支軸を前記第１位置へ変位させて該第２支軸を前記支軸孔に嵌入することで、前記第２支持部材を前記第１支持部材に連結して前記開閉体前記固定体に組付け、
前記支軸係脱手段により前記第２支軸を前記第２位置へ変位させて該第２支軸と前記支軸孔との係合を解除すると共に、前記第１支軸と前記ガイド溝との係合を解除することで、前記第２支持部材を前記第１支持部材から分離して前記開閉体を前記固定体から組外すよう構成したことを特徴とする。
【０００９】
【作用】
開閉体を固定体の前側に連結するための開閉連結装置は、固定体側に配設される第１支持部材と、開閉体側に配設される第２支持部材と、第２支軸および第３支軸により両支持部材に回動可能に端部連結されるアーム部材と、このアーム部材の端部に配設されて、前記第２支軸を前記第２支持部材に設けた支軸孔に嵌入可能な第１位置および該第２支軸を前記支軸孔に嵌入不能な第２位置とに変位させ得る支軸係脱手段とから構成される。
固定体に対する開閉体の組付け時には、前記第２支持部材に設けた第１支軸を前記第１支持部材に設けたガイド溝に係合すると共に、前記支軸係脱部材により前記第２支軸を第１位置へ変位させて該第２支軸を前記支軸孔へ嵌入することで、第２支持部材を第１支持部材に連結して開閉体を固定体に組付けることができる。
固定体に対する開閉体の組外し時には、前記支軸係脱部材により前記第２支軸を前記第２位置へ変位させて該第２支軸と前記支軸孔との係合を解除すると共に、前記第１支軸と前記ガイド溝との係合を解除することで、第２支持部材と第１支持部材とを分離して開閉体を固定体から組外すことができる。
なお第１支持部材に連結された第２支持部材は、前記第２支軸を中心とした前記アーム部材の回動変位に基づく前記第３支軸の円弧移動と、前記第１支軸のガイド溝に沿う移動とにより、前記第１支持部材に対して横方向へスライド変位しながら回動変位する。従って開閉体の開放時には、前述した第２支持部材の姿勢変位に基づき、当該開閉体全体が前記固定体の前面中央方向へ移動しつつ開放するようになり、側方に配設された遊技機や台間サンド等に開閉体が干渉しない。
【００１０】
【発明の実施の形態】
次に、本発明に係る縦型遊技機の開閉連結装置につき、好適な実施例を挙げて添付図面を参照しながら、以下詳細に説明する。なお本発明は、遊技ホールの設置台に固定的に設置される固定体と、この固定体の前側に開閉可能に配設される開閉体を有する各種の縦型遊技機、例えばパチンコ機やアレンジボール機、およびパチンコ式スロットマシンやメダル式スロットマシン等を対象とする。そこで実施例では、縦型遊技機Ｐとして、設置台に固定的に設置されて外郭用固定保持枠をなす固定体としての外枠Ａと、各種構成部材(ガラス扉、上球皿および下球皿、打球発射装置、遊技盤等)を固定設置するための搭載用開閉枠をなす開閉体としての前枠Ｂとを有し、外枠Ａの前側に前枠Ｂが開閉可能に配設されるパチンコ機を例示しながら説明する。
【００１１】
縦型遊技機Ｐにおける固定体としての外枠Ａは、図１および図２に示すように、上,下および左,右の４本の枠部材１０,１３,１１,１２を枠組み連結して縦長方形に構成され、全ての枠部材１０,１１,１２,１３に亘る開口前面域に、前枠Ｂを整合し得るようになっている。一例として外枠Ａは、木材から形成された上枠部材１０および左枠部材１１を共通用として、樹脂材から成形された右枠部材１２および下枠部材１３を２通りのサイズのものを選択的に連結することにより、一般に「関東枠、関西枠」と呼称区分されているサイズの異なる２種類の何れにも対応し得るようになっている。そして、外枠Ａの左上方の外側隅角部には、後述する第１の開閉連結装置Ｃ１の第１支持部材２０を配設するための第１設置部１４が設けられていると共に、該外枠Ａの左下方の内側隅角部には、後述する第２の開閉連結装置Ｃ２の第１支持部材２０を配設するための第２設置部１５が設けられている。なお、メダル式スロットマシンにおける固定体は、具体的な図示は省略するが、制御基板、図柄可変表示装置、パチンコ球やメダル等の遊技媒体の貯留払出装置等を収容設置して、遊技ホールの設置台に固定的に設置される箱状の筐体とされる。また、パチンコ式スロットマシンにおける固定体は、前記パチンコ機における枠状の外枠Ａのような形態や、前記メダル式スロットマシンにおける箱状の筐体のような形態等とされる。
【００１２】
一方、縦型遊技機Ｐにおける開閉体としての前枠Ｂは、前記外枠Ａの開口前面域に整合するサイズに設定されており、その前面側には図示しないガラス扉、上球皿および下球皿、打球発射装置、遊技盤等の各種構成部材が設置固定される。但し、この前枠の具体的構成および前記各種構成部材等は本願発明の要旨ではなく、また説明の便宜化および理解の容易化を図るため、該前枠は単純形状の板状部材として図示すると共に各種構成部材の図示は省略する。そして、前枠Ｂの左上方の外側隅角部には、後述する第１の開閉連結装置Ｃ１の第２支持部材２１を配設するための第１設置部１６が設けられていると共に、該前枠Ｂの左下方の外側隅角部には、後述する第２の開閉連結装置Ｃ２の第２支持部材２１を配設するための第２設置部１７が設けられている。なお、メダル式スロットマシンにおける開閉体は、具体的な図示は省略するが、図柄透視表示部、スタートボタン、ストップボタン等を設けて、前記筐体の前側に開閉可能に設置される扉状の前側化粧体とされる。また、パチンコ式スロットマシンにおける開閉体は、前記パチンコ機における前枠Ｂのような形態や、前記メダル式スロットマシンにおける扉状の前側化粧体のような形態等とされる。
【００１３】
本実施例の縦型遊技機Ｐでは、図１および図２に示すように、前記外枠Ａの開口前面域に対して前記前枠Ｂを着脱および開閉可能に連結支持するために、両枠Ａ,Ｂの夫々の左側縁における上部同士を連結支持する第１の開閉連結装置Ｃ１と、両枠Ａ,Ｂの夫々の左側縁における下部同士を連結支持する第２の開閉連結装置Ｃ２とを有している。これら第１の開閉連結装置Ｃ１および第２の開閉連結装置Ｃ２は、図１および図２に示すように、前記外枠Ａの左側端の所要位置に配設される第１支持部材２０と、前記前枠Ｂの左側端の所要位置に配設される第２支持部材２１と、これら第１支持部材２０および第２支持部材２１の所要位置に夫々枢支されるアーム部材２２と、このアーム部材２２の一端部に配設されて該アーム部材２２と第１支持部材２０とを連結したり分離したりする支軸係脱部材(支軸係脱手段)２３とから構成されている。
【００１４】
(第１の開閉連結装置)
第１の開閉連結装置Ｃ１における前記第１支持部材２０は、前記外枠Ａにおける左上方の外側隅角部において左枠部材１１の上端側から上枠部材１０の左端側へ凹設された前記第１設置部１４に固定される本体部材４０と、この本体部材４０の前縁左側に固定される軸支部材４１と、この軸支部材４１に回動可能に配設される開閉レバー(開閉部材)４２と、前記本体部材４０の前縁右側に固定されるアーム保持部材４３とから構成されている。そして、前記軸支部材４１およびアーム保持部材４３は、前記本体部材４０とは別部材として形成され、該本体部材４０に対してネジで固定される。
【００１５】
(本体部材)
前記本体部材４０は、例えば所要形状に打抜いた板状金属片を屈曲成形して前記第１設置部１４に整合する正面Ｌ形を呈し、左枠部材１１に密着する垂直板部４４と、この垂直板部４４の上縁から直角に連設されて上枠部材１０に密着する水平板部４５とから構成されている。これら垂直板部４４および水平板部４５の適宜位置には複数個のネジ用通孔４６が穿設され、夫々のネジ用通孔４６に挿通したネジ４７を前記外枠Ａへねじ込むことにより、第１支持部材２０が前記第１設置部１４に強固に固定される。なお前記水平板部４５の前端には、該水平板部４５の前方へ略水平に延出する第１庇部２４が一体的に連設され、この第１庇部２４の下面に前記軸支部材４１およびアーム保持部材４３が固定される。更に前記水平板部４５の右端前側には、該水平板部４５の右側方へ略水平に延出する第２庇部２５が一体的に連設され、この第２庇部２５には、前記アーム部材２２を回動可能に枢支するための第２支軸２８が係合される支軸孔３１が穿設されている。
【００１６】
(軸支部材)
前記軸支部材４１は、例えば横長板状に成形されたアルミニウム製であって、正面左側に設定された厚肉の溝形成部５０と、正面右側に設定された薄肉の設置部５１とから構成されている(図３,図１１,図１２)。前記溝形成部５０には、軸支部材４１の長手方向(外枠Ａの横方向)へ延在する所要長のガイド溝３０が下方に開口した状態で形成されており、前記第２支持部材２１に設けた後述の第１支軸２７が、該ガイド溝３０に沿って移動可能に係合するようになっている。そして前記ガイド溝３０は、前記設置部５１の側を指向する右側の端部に、前記第１支軸２７の係脱(通過)を許容する出入口５２が形成され、更にこの出入口５２に臨む位置には、前記第１支軸２７をこの位置で仮に保持させ得る凹部３０ａが形成されている。一方、前記設置部５１には、前記開閉レバー４２を設置することを前提として、該開閉レバー４２を旋回動可能に支持するための支持ピン４８を固定する支持孔５３が穿設されている(図３)。また、設置部５１に臨む前記溝形成部５０の端面には、前記開閉レバー４２の旋回動の範囲を規制するストッパ片５４が突出形成されている。
【００１７】
(開閉レバー)
前記開閉レバー４２は、前述した軸支部材４１の設置部５１の下面で旋回動し得るハンドルレバータイプとされ、図３,図１１および図１２に示すように、前記支持ピン４８に挿通支持される基部５５および該基部５５から右側へ一体的に延出した摘み部５６からなり、全体が平面略Ｐ字形状を呈する合成樹脂成形材である。そして前記基部５５の上面には、当該開閉レバー４２を図１１の反時計方向へ回動付勢する捻りバネ５８を収容するための収容凹部５７が形成されている。また前記基部５５の前面左側には、前記第１支軸２７が当接される「へ」字状の案内面５９が凹設される一方、該基部５５の左側面には、前記ストッパ片５４に当接可能な第１回動規制片６０および第２回動規制片６１が突出形成されている。
【００１８】
このような開閉レバー４２は、前記捻りバネ５８の付勢力に基づき、常には前記ガイド溝３０の出入口５２を閉成した第１位置(閉成位置)側へ付勢され、前記摘み部５６に対する指先操作力または前記案内面５９に対する前記第１支軸２７の当接力により、前記捻りバネ５８の付勢力に抗して前記出入口５２を開放した第２位置(開放位置)側へ回動変位し得るようになっている。すなわち開閉レバー４２は、前記第２回動規制片６１が前記ストッパ片５４に当接することで前記第１位置に保持され、この第１位置に姿勢保持されている状態では、前記第１回動規制片６０がガイド溝３０の出入口５２に臨んでいるため、該出入口５２を閉成して第１支軸２７の通過を不能とし、前記第２位置へ変位した状態では、前記第１回動規制片６０が前記出入口５２から退避するため、該出入口５２を開放して第１支軸２７の通過を可能とするようになる。なお、開閉レバー４２が第１位置に保持されている状態では、溝形成部５０の右端および開閉レバー４２の案内面５９とにより前方へ拡開した軸受入口６２が広く形成されて、前記第１支軸２７を広角範囲から受入れ得るようになっている。また開閉レバー４２は、前記第２位置へ変位した状態では、前記第１回動規制片６０が前記ストッパ片５４に当接するから、これ以上の図示時計方向への回動変位が規制されるようになっている。
【００１９】
(アーム保持部材)
前記アーム保持部材４３は側面形状が傾倒Ｕ字形を呈し、前記第１支持部材２０に固定される取付片６３と、この取付片６３と適宜間隔を以て水平前方へ延出する保持片６４とからなり、前記アーム部材２２の長片部８０が、これら取付片６３と保持片６４との間へ前側から出入りするようになっている。このアーム保持部材４３は、第１支持部材２０に対して下方から連結されたアーム部材２２を、常には前記保持片６４で下方から保持することで(図１５および図１６)、自重や前記支軸係脱部材２３の重量等によってアーム部材２２が撓曲変形することを規制し、前記第２支軸２８が支軸孔３１から不用意に外れてアーム部材２２と第１支持部材２０との連結が解除される不都合を防止するよう機能する。
【００２０】
(第２支持部材)
第１の開閉連結装置Ｃ１における前記第２支持部材２１は、図３に示すように、例えば所要形状に打抜いた板状金属片を屈曲成形した一体成形部材であって、前記前枠Ｂにおける上端左部に凹設された前記第１設置部１６に整合する側面Ｌ形を呈し、該前枠Ｂの前面に密着する垂直板部７０と該前枠Ｂの上端面に密着する水平板部７１とが略直角に連設されている。前記垂直板部７０の適宜位置には複数個のネジ用通孔７２が穿設されており、これらネジ用通孔７２に挿通したネジ７３を前枠Ｂへねじ込むことにより、第２支持部材２１が前記第１設置部１６に強固に固定される。そして前記水平板部７１の左端には、該水平板部７１の左側方へ略水平に延出する第３庇部２６が一体的に連設され、この第３庇部２６の上面には、垂直上方に立設して前記ガイド溝３０に係合可能な第１支軸２７が、例えばカシメ付け等により固定されている。また前記水平板部７１の略中央には、前記アーム部材２２を回動可能に枢支する第３支軸２９を固定するための支持孔７４が穿設されている。なお、前記水平板部７１と垂直板部７０との連設部における中央には、前記アーム部材２２の先端部との干渉を回避するための開口部７５が形成されている。
【００２１】
(アーム部材)
第１の開閉連結装置Ｃ１における前記アーム部材２２は、長手方向の途中で屈曲した平面「ヘ字形」でかつ中間部位に段部を設けた板状金属片であって、前記第１支持部材２０の側の長片部８０と前記第２支持部材２１の側の短片部８１とが、例えば約３０度の角度で連設されている。前記長片部８０の先端部には、前記支軸係脱部材２３が嵌挿する設置孔８２が穿設されており、該設置孔８２に嵌挿して固定した支軸係脱部材２３に設けた第２支軸２８を第１支持部材２０の前記支軸孔３１に嵌入することにより、当該アーム部材２２が該第１支持部材２０に対して回動可能に連結される。また前記短片部８１の先端部には、前記第３支軸２９が嵌挿する軸挿通孔８３が穿設されており、該軸挿通孔８３に嵌挿した第３支軸２９を第２支持部材２１の前記支持孔７４に固定することにより、該第２支持部材２１が当該アーム部材２２に対して回動可能に連結される。
【００２２】
(支軸係脱部材)
第１の開閉連結装置Ｃ１における前記支軸係脱部材２３は、図３〜図５に示すように、外周面にフランジを有する円筒体状を呈し、前記アーム部材２２の設置孔８２に配設固定される本体８５と、この本体８５の挿通孔８６へ回動可能に挿通支持され、先端部に前記第２支軸２８を一体的に設けた軸体８７と、前記本体８５に径方向から係止保持され、前記軸体８７の脱抜防止および姿勢保持を図るクリップ体８８とから構成されている。前記クリップ体８８は、例えばピアノ線等を略Ｕ字形に成形して平行な２本の係止棒部８８ａ,８８ａを有し、それ自体の弾力により両係止棒部８８ａ,８８ａが相互に離間するような拡幅変形が可能とされている。そして、前記本体８５の中間部に設けたスリット８９,８９に両係止棒部８８ａ,８８ａを係止させることで該本体８５に脱落不能に保持される一方、常態では、該本体８５の挿通孔８６内周面よりも両係止棒部８８ａ,８８ａが半径方向内方へ臨んでいる(図５(ａ))。また前記軸体８７は、前記第２支軸２８と、スリット９１,９１を設けた基端部９０と、これら第２支軸２８と基端部９０との間に設けた係止凹部９２と、前記基端部９０に一体的に設けた操作部９３とから形成されている。このような支軸係脱部材２３は、前記軸体８７の挿通位置を調節することにより、前記第２支軸２８を本体８５(アーム部材２２)の上端から突出させて前記支軸孔３１に嵌入可能とした第１位置(図４(ｂ),図５(ｅ))と、前記第２支軸２８を本体８５(アーム部材２２)の上端から退避させて前記支軸孔３１に嵌入不能とした第２位置(図４(ａ),図５(ｃ))とに変位させ得るようになっている。
【００２３】
前記支軸係脱部材２３の態様について更に詳述すると、前記クリップ体８８を装着した本体８５に対して前記軸体８７を下方から挿入して押圧すると(図５(ａ))、先ず第２支軸２８の先端テーパ部が該クリップ体８８を拡幅変形させ、該第２支軸２８が挿通孔８６内へ挿通することが許容される(図５(ｂ))。そして、更に軸体８７を下方から押圧すると、第２支軸２８がクリップ体８８を通過して前記係止凹部９２が臨むようになるから、該クリップ体８８の拡幅変形が解除されて両係止棒部８８ａ,８８ａが係止凹部９２へ近接移動し、これにより両係止棒部８８ａ,８８ａと第２支軸２８とが係合するようになる(図５(ｃ))。すなわち、図５(ｃ)に示す状態が前記第２支軸２８の第２位置とされ、クリップ体８８と該第２支軸２８の下端との係合により本体８５に対する軸体８７の脱抜防止が図られている。
【００２４】
そして、図５(ｃ)の状態から更に軸体８７を下方から押圧すると、前記基端部９０が前記クリップ体８８を再び拡幅変形させ、該基端部９０が挿通孔８６内へ挿通することが許容される(図５(ｄ))。そして、基端部９０が完全に挿入された状態において、前記操作部９３を指先で摘みながら軸体８７を略９０度回動変位させると両スリット９１,９１が前記クリップ体８８に整合するようになり、両係止棒部８８ａ,８８ａが該スリット９１,９１の側へ近接移動して両係止棒部８８ａ,８８ａと基端部９０とが係合するようになる(図５(ｅ))。すなわち、図５(ｅ)に示す状態が第２支軸２８の前記第１位置とされ、クリップ体８８と基端部９０との係合により、本体８５に対する第２支軸２８の没入(退避)防止が図られている。
【００２５】
このように構成された第１の開閉連結装置Ｃ１では、外枠Ａに前記第１支持部材２０が配設されると共に前枠Ｂに前記第２支持部材２１が配設された前提において、第１支持部材２０と第２支持部材２１とを連結する際には、先ず前記第１支軸２７を前記ガイド溝３０へ係合させ、次いでアーム部材２２に配設された前記支軸係脱部材２３により前記第２支軸２８を第１位置へ変位させて該第２支軸２８を前記支軸孔３１へ嵌入することで、両支持部材２０,２１の連結が完了する。ここで、前記ガイド溝３０に対する前記第１支軸２７の係合は、前記前枠Ｂを位置調整しながら該第１支軸２７を前記軸受入口６２へ到来させて前記案内面５９に押付けることで(図１１(ａ))、第１位置に保持されていた開閉レバー４２が第２位置の側へ回動変位して前記出入口５２が開放されるから、該出入口５２を介してガイド溝３０に対する第１支軸２７の係合が可能となる(図１１(ｂ))。なお、第１支軸２７とガイド溝３０との係合が完了した後には、前記開閉レバー４２は捻りバネ５８の付勢により第１位置へ回動復帰して前記出入口５２が閉成されるから、ガイド溝３０へ係合された第１支軸２７が該ガイド溝３０から外れることが防止される(図１１(ｃ))。
【００２６】
そして、前記第１支持部材２０に連結された前記第２支持部材２１は、前記第２支軸２８を中心とした前記アーム部材２２の回動変位に基づく前記第３支軸２９の円弧移動と、前記第１支軸２７のガイド溝３０に沿う直線移動とのリンク運動により、前記第１支持部材２０に対して横方向へスライド変位しながら回動変位するようになる。例えば、第２支持部材２１を第１支持部材２０の下方へ押し込んだ際(前枠Ｂを外枠Ａに閉成した際)には、図６(ａ)に示すように、前記第１支軸２７が前記ガイド溝３０に沿って左方向へ移動して左端部に到来すると共に、前記第３支軸２９が前記第１庇部２４(軸支部材４１)の下方へ移動することにより、第２支持部材２１は第１支持部材２０の前端部に沿って左右横方向へ姿勢制御される。すなわち、第２支持部材２１の左端部(第３庇部２６の左端部)が、第１支持部材２０の左端部(前記垂直板部４４)に一致するようになる。
【００２７】
一方、第２支持部材２１を第１支持部材２０の下方から手前側へ引き出す際(前枠Ｂを外枠Ａから開放する際)には、図６(ｂ)に示すように、前記第１支軸２７が前記ガイド溝３０に沿って右方向へ移動して右端部に到来すると共に、前記アーム部材２２の回動変位に伴って前記第３支軸２９が前記第２支軸２８を中心として前方へ円弧移動することにより、第２支持部材２１は第１支持部材２０の略中央位置で前後方向へ延在するよう姿勢制御される。すなわち、第２支持部材２１の左端部(第３庇部２６の左端部)は、該第２支持部材２１が回動変位するに従って第１支持部材２０の略中央まで直線的にスライド移動するようになる。
【００２８】
また、前述のように構成された第１の開閉連結装置Ｃ１では、外枠Ａに前記第１支持部材２０が配設されると共に前枠Ｂに前記第２支持部材２１が配設された前提において、第１支持部材２０と第２支持部材２１とを分離する際には、先ず前記支軸係脱部材２３により前記第２支軸２８を第２位置へ変位させて該第２支軸２８と前記支軸孔３１との係合を解除し、次いで前記第１支軸２７と前記ガイド溝３０との係合を解除することで、両支持部材２０,２１の分離が完了する。ここで、前記ガイド溝３０に対する前記第１支軸２７の離脱は、第１支軸２７をガイド溝３０の右端へ到来させ(図１２(ａ))、前記開閉レバー４２を指先操作で第２位置に回動変位させて前記出入口５２を開放したもとで(図１２(ｂ))、該ガイド溝３０に係合されている第１支軸２７を該出入口５２を介して外側へ引出せばよい(図１２(ｃ))。なお、ガイド溝３０から第１支軸２７を離脱した後には、前記開閉レバー４２から指先を離せば、捻りバネ５８の付勢力により該開閉レバー４２は第１位置へ自動的に回動復帰する。
【００２９】
(第２の開閉連結装置)
第２の開閉連結装置Ｃ２における前記第１支持部材２０は、前記外枠Ａにおける左下方の内側隅角部において下枠部材１３の左端側から左枠部材１１の下端側へ延在する前記第２設置部１５に固定される本体部材９５と、この本体部材９５の後縁右側に固定されるアーム保持部材９６とから構成されている。なおアーム保持部材９６は、本体部材９５と別部材として形成されて、該本体部材９５に対して溶接固定される。
【００３０】
(本体部材)
前記本体部材９５は、例えば所要形状に打抜いた板状金属片を屈曲成形して前記第２設置部１５に整合する正面Ｌ形を呈し、下枠部材１３の上端縁に密着する水平板部９７と、左枠部材１１の内側に密着する第１垂直板部９８と、前記下枠部材１３の背面に密着する第２垂直板部９９とが、夫々直角に連設されている。これら第１垂直板部９８および第２垂直板部９９の適宜位置には複数個のネジ孔１００が穿設されており、前記外枠Ａの外側から挿通したネジ１０１をこれらネジ孔１００へねじ込むことにより、前記第２設置部１５に強固に固定される。また前記水平板部９７の前端には、該水平板部９７の前方へ略水平に延出する第１庇部２４が一体的に連設され、この第１庇部２４には、横方向へ延在する所要長のガイド溝３０が形成されている。更に前記水平板部９７の右端には、該水平板部９７の右側方へ略水平に延出する第２庇部２５が一体的に連設され、この第２庇部２５には、前記アーム部材２２を回動可能に枢支する第２支軸２８の係合を許容する支軸孔３１が穿設されている。なお、前記ガイド溝３０における右端には、前記第１支軸２７をこの位置で仮に保持させ得る凹部３０ａが形成されている。
【００３１】
(アーム保持部材)
前記アーム保持部材９６は側面形状が傾倒Ｕ字形を呈し、前記第１支持部材２０に溶接固定される取付片１０２と、この取付片１０２と適宜間隔を以て水平前方へ延出する保持片１０３とからなり、前記アーム部材２２の長片部１１１が、これら取付片１０２と保持片１０３との間へ前側から出入りするようになっている。このアーム保持部材９６は、第１支持部材２０に対して上方から連結されたアーム部材２２を、常には前記保持片１０３で上方から保持することで(図１７および図１８)、前記第２支軸２８が軸支孔３１から外れてアーム部材２２と第１支持部材２０との連結が解除される不都合を防止するよう機能する。
【００３２】
(第２支持部材)
第２の開閉連結装置Ｃ２における前記第２支持部材２１は、図７に示すように、例えば所要形状に打抜いた板状金属片を屈曲成形した一体成形部材であって、前記前枠Ｂにおける下端左部に凹設された前記第２設置部１７に整合する側面Ｌ形を呈し、該前枠Ｂの前面に密着する垂直板部１０５と該前枠Ｂの下端面に密着する水平板部１０６とが略直角に連設されている。前記垂直板部１０５の適宜位置には複数個のネジ用通孔１０７が穿設されており、これらネジ用通孔１０７に挿通したネジ１０８を前枠Ｂへねじ込むことにより、第２支持部材２１が前記第２設置部１７に強固に固定される。そして前記水平板部１０６の左端には、該水平板部１０６の左側方へ略水平に延出する第３庇部２６が一体的に連設され、この第３庇部２６の下面には、垂直下方へ立設して前記ガイド溝３０に係合可能な第１支軸２７が、例えばカシメ付け等により固定されている。また前記水平板部１０６の略中央には、前記アーム部材２２を回動可能に枢支する第３支軸２９を固定するための支持孔１０９が穿設されている。なお、前記水平板部１０６と垂直板部１０５との連設部における中央には、前記アーム部材２２の先端部との干渉を回避するための開口部１１０が形成されている。
【００３３】
(アーム部材)
第２の開閉連結装置Ｃ２における前記アーム部材２２は、長手方向の途中で屈曲した平面「ヘ字形」の板状金属片であって、前記第１支持部材２０の側の長片部１１１と前記第２支持部材２１の側の短片部１１２とが、例えば約３０度の角度で連設されている。前記長片部１１１の先端部には、前記支軸係脱部材２３が嵌挿する設置孔１１３が穿設されており、該設置孔１１３に嵌挿して固定した支軸係脱部材２３に設けた第２支軸２８を第１支持部材２０の前記支軸孔３１に嵌入することにより、当該アーム部材２２が該第１支持部材２０に対して回動可能に連結される。また前記短片部１１２の先端部には、前記第３支軸２９が嵌挿する軸挿通孔１１４が穿設されており、該軸挿通孔１１４に嵌挿した第３支軸２９を第２支持部材２１の前記支持孔１０９に固定することにより、該第２支持部材２１が当該アーム部材２２に対して回動可能に連結される。
【００３４】
(支軸係脱部材)
第２の開閉連結装置Ｃ２における前記支軸係脱部材２３は、図７〜図９に示すように、外周面にフランジを有する有底円筒体状を呈し、前記アーム部材２２の設置孔１１３に配設固定される本体１１５と、この本体１１５の挿通孔１１６に挿通支持され、先端部に前記第２支軸２８を一体的に設けた軸体１１７と、この軸体１１７に外嵌されるコイルバネ１１８とから構成されている。前記軸体１１７は、前記第２支軸２８と、コイルバネ１１８が外嵌されると共に前記本体１１５の上壁を貫通する基端部１１９と、これら第２支軸２８と基端部１１９との間に設けたフランジ状の摺接板１２０と、前記基端部１１９に螺合される操作部１２１とから形成されている。このような支軸係脱部材２３は、前記軸体１１７の挿通位置を調節することにより、前記第２支軸２８を本体１１５(アーム部材２２)の下端から突出させて前記支軸孔３１に嵌入可能とした第１位置(図８(ａ),図９(ｂ))と、前記第２支軸２８を本体１１５(アーム部材２２)の下端から退避させて前記支軸孔３１に嵌入不能とした第２位置(図８(ｂ),図９(ｃ))とに変位させ得るようになっている。すなわち支軸係脱部材２３は、外力を何等付与しない状態においては、前記コイルバネ１１８の伸び方向への付勢力により前記第２支軸２８を前記第１位置とし、前記コイルバネ１１８の付勢力に抗して前記操作部１２１を上方へ引張ると、前記摺接板１２０が挿通孔１１６に沿って摺動しながら軸体１１７がスライド移動することにより、前記第２支軸２８を前記第２位置とする。
【００３５】
このように構成された第２の開閉連結装置Ｃ２では、外枠Ａに前記第１支持部材２０が配設されると共に前枠Ｂに前記第２支持部材２１が配設された前提において、第１支持部材２０と第２支持部材２１とを連結する際には、先ず前記第１支軸２７を前記ガイド溝３０へ係合させ、次いでアーム部材２２に配設された前記支軸係脱部材２３により前記第２支軸２８を第１位置へ変位させて該第２支軸２８を前記支軸孔３１へ嵌入することで、両支持部材２０,２１の連結が完了する。そして、第１支持部材２０に連結された第２支持部材２１は、前記第２支軸２８を中心とした前記アーム部材２２の回動変位に基づく前記第３支軸２９の円弧移動と、前記第１支軸２７のガイド溝３０に沿う直線移動とのリンク運動により、前記第１支持部材２０に対して横方向へスライド変位しながら回動変位するようになる。
【００３６】
例えば、第２支持部材２１を第１支持部材２０の下方へ押し込んだ際(前枠Ｂを外枠Ａに閉成した際)には、図１０(ａ)に示すように、前記第１支軸２７が前記ガイド溝３０に沿って左方向へ移動して左端部に到来すると共に、前記第３支軸２９が前記第１庇部２４の上方へ移動することにより、第２支持部材２１は第１支持部材２０の前端部に沿って左右横方向へ姿勢制御される。すなわち、第２支持部材２１の左端部(第３庇部２６の左端部)が、第１支持部材２０の左端部(前記第１庇部２４)に一致するようになる。
【００３７】
一方、第２支持部材２１を第１支持部材２０の下方から手前側へ引き出す際(前枠Ｂを外枠Ａから開放する際)には、図１０(ｂ)に示すように、前記第１支軸２７が前記ガイド溝３０に沿って右方向へ移動して右端部に到来すると共に、前記アーム部材２２の回動変位に伴って前記第３支軸２９が前記第２支軸２８を中心として前方へ円弧移動することにより、第２支持部材２１は第１支持部材２０の略中央位置で前後方向へ延在するよう姿勢制御される。すなわち、第２支持部材２１の左端部(第３庇部２６の左端部)は、該第２支持部材２１が回動変位するに従って第１支持部材２０の略中央までスライド移動するようになる。
【００３８】
また、前述のように構成された第２の開閉連結装置Ｃ２では、外枠Ａに前記第１支持部材２０が配設されると共に前枠Ｂに前記第２支持部材２１が配設された前提において、第１支持部材２０と第２支持部材２１とを分離する際には、先ず前記支軸係脱部材２３により前記第２支軸２８を前記第２位置へ変位させて該第２支軸２８と前記支軸孔３１との係合を解除し、次いで前記第１支軸２７と前記ガイド溝３０との係合を解除することで、両支持部材２０,２１の分離が完了する。
【００３９】
なお、前記第１の開閉連結装置Ｃ１および第２の開閉連結装置Ｃ２では、前記アーム部材２２の長さおよび前記ガイド溝３０の長さにより、第１支持部材２０に対する第２支持部材２１の回動角度および移動量が決定されると共に規制される。例えば、前記ガイド溝３０の全長を更に長く設定しかつアーム部材２２の全長を変更しなければ、第２支持部材２１の左端部のスライド移動量が更に大きくなるから、第２支持部材２１の回動角度を大きく設定し得る。一方、前記ガイド溝３０の全長を変更せずに、アーム部材２２の全長を短く設定すれば、第２支持部材２１の回動角度が小さく設定される。
【００４０】
【実施例の作用】
次に、前述のように構成された本実施例に係る縦型遊技機の開閉連結装置の作用につき説明する。
【００４１】
(第１の開閉連結装置の組立て)
前記第１の開閉連結装置Ｃ１では、先ず第１支持部材２０および第２支持部材２１を夫々個別に組立てる。すなわち第１支持部材２０では、開閉レバー４２を設置した軸支部材４１およびアーム保持部材４３を、本体部材４０における第１庇部２４の下面にネジで固定することで組立てが完了する。一方、第２支持部材２１では、第３庇部２６の上面に第１支軸２７を立設固定すると共に、設置孔８２に前記支軸係脱部材２３を固定したアーム部材２２を、前記第３支軸２９を介して旋回動可能に連結する。なお支軸係脱部材２３は、例えば溶接等によりアーム部材２２に固定する。このように組立てられた第１支持部材２０は、前記外枠Ａに設けた前記第１設置部１４に対してネジ４７で固定され、またアーム部材２２を連結した第２支持部材２１は、前記前枠Ｂに設けた前記第１設置部１６に対してネジ７３で固定される。
【００４２】
(第２の開閉連結装置の組立て)
前記第２の開閉連結装置Ｃ２では、先ず第１支持部材２０および第２支持部材２１を夫々個別に組立てる。すなわち第１支持部材２０では、アーム保持部材９６を本体部材９５に溶接固定することで組立てが完了する。一方、第２支持部材２１では、第３庇部２６の下面に第１支軸２７を立設固定する一方、設置孔１１３に前記支軸係脱部材２３を固定したアーム部材２２を、前記第３支軸２９を介して旋回動可能に連結する。なお支軸係脱部材２３は、例えば溶接等によりアーム部材２２に固定する。このように組立てられた第１支持部材２０は、前記外枠Ａに設けた前記第２設置部１５に対してネジ１０１で固定され、またアーム部材２２を連結した第２支持部材２１は、前記前枠Ｂに設けた前記第２設置部１７に対してネジ１０８で固定される。
【００４３】
(外枠に対する前枠の組付け)
次に、前記第１の開閉連結装置Ｃ１および第２の開閉連結装置Ｃ２における各第１支持部材２０,２０を配設した外枠Ａに対し、当該第１の開閉連結装置Ｃ１および第２の開閉連結装置Ｃ２における各第２支持部材２１,２１を配設した前枠Ｂを組付ける態様につき説明する。実施例の縦型遊技機Ｐでは、前枠Ｂを外枠Ａに組付けるに際し、先ず第２の開閉連結装置Ｃ２における第２支持部材２１と第１支持部材２０とを仮に連結し、次いで第１の開閉連結装置Ｃ２における第２支持部材２１と第１支持部材２０とを仮に連結し、このもとで第２の開閉連結装置Ｃ２におけるアーム部材２２と第１支持部材２０とを連結すると共に、第１の開閉連結装置Ｃ２におけるアーム部材２２と第１支持部材２０とを連結する。
【００４４】
すなわち、外枠Ａの前側に前枠Ｂを到来させたもとで、先ず第２の開閉連結装置Ｃ２につき、第２支持部材２１における前記第１支軸２７を、第１支持部材２０における前記ガイド溝３０に対して上方から嵌入させることで、該第１支軸２７をガイド溝３０に係合させる。なお、ガイド溝３０に係合した第１支軸２７は、前記凹部３０ａに仮に保持させておくことが望ましい。次いで第１の開閉連結装置Ｃ１につき、第２支持部材２１における前記第１支軸２７を、第１支持部材２０の前記軸受入口６２へ到来させて前記案内面５９に押付け(図１１(ａ))、第１位置に保持されていた開閉レバー４２を第２位置の側へ回動変位させて前記出入口５２を開放させたもとで(図１１(ｂ))、該出入口５２を介して該第１支軸２７をガイド溝３０に係合させる(図１１(ｃ))。なお、ガイド溝３０に係合した第１支軸２７は、出入口５２に隣接した前記凹部３０ａに仮に保持させておくことが望ましい。これにより、図１３および図１４(ａ)に示すように、第１および第２の各開閉連結装置Ｃ１,Ｃ２における第２支持部材２１,２１の第１支軸２７,２７が、第１支持部材２０,２０のガイド溝３０,３０に夫々係合され、外枠Ａに対して前枠Ｂが仮組付けされた状態となる。
【００４５】
次に、第２の開閉連結装置Ｃ２につき、アーム部材２２の端縁部を第１支持部材２０の第２庇部２５の上方へ到来させ、この端縁部に配設された前記支軸係脱部材２３の第２支軸２８と支軸孔３１とを整合させたもとで、該支軸係脱部材２３により第２支軸２８を前記第１位置へ変位させて該第２支軸２８を支軸孔３１へ嵌入すれば、当該アーム部材２２と第１支持部材２０とが連結する。これにより、第２の開閉連結装置Ｃ２における第１支持部材２０と第２支持部材２１との連結が完了する。一方、第１の開閉連結装置Ｃ１では、図１４(ｂ)に示すように、アーム部材２２の端縁部を第１支持部材２０の第２庇部２５の下方へ到来させ、この端縁部に配設した前記支軸係脱部材２３の第２支軸２８と支軸孔３１とを整合させたもとで、該支軸係脱部材２３により第２支軸２８を前記第１位置へ変位させて該第２支軸２８を支軸孔３１へ嵌入すれば、当該アーム部材２２と第１支持部材２０とが連結する。これにより、第１の開閉連結装置Ｃ１における第１支持部材２０と第２支持部材２１との連結が完了する。このような一連の作業工程により実施例の縦型遊技機Ｐでは、外枠Ａおよび前枠Ｂの夫々の左側縁における上部同士を連結支持する第１の開閉連結装置Ｃ１と、両枠Ａ,Ｂの夫々の左側縁における下部同士を連結支持する第２の開閉連結装置Ｃ２とにより、前枠Ｂが外枠Ａに開閉可能に組付けられる。
【００４６】
このように実施例の開閉連結装置Ｃ１,Ｃ２では、第１支軸２７をガイド溝３０に係合させると共に第２支軸２８を支軸孔３１に嵌入させるだけの操作で、前枠Ｂに配設した第２支持部材２１が外枠Ａに配設した第１支持部材２０に連結され、前枠Ｂを外枠Ａに簡単かつ容易に組付け得る。また夫々の開閉連結装置Ｃ１,Ｃ２では、アーム部材２２を第１支持部材２０に連結するに際し、各第１支軸２７をガイド溝３０の凹部３０ａに仮に保持させるおくことができるから、前枠Ｂが不意に動くことなくこの連結作業を行ない得る。
【００４７】
そして、実施例の夫々の開閉連結装置Ｃ１,Ｃ２は、第１支持部材２０、第２支持部材２１、アーム部材２２、支軸係脱部材２３の４部材で構成され、かつ第１支持部材２０と第２支持部材２１が単一のアーム部材２２で連結されたシンプルな構造であるから、組立作業および連結作業が簡単・容易でかつ短時間で行なうことができ、組立作業の容易化および合理化を図り得る。また、部品点数が少ないから部品コストが低減される一方、組立作業の合理化により作業コストも低減されるから、遊技機の製造コスト低減が期待できる。
【００４８】
前述のような各開閉連結装置Ｃ１,Ｃ２により外枠Ａに連結支持された前記前枠Ｂは、該外枠Ａの開口前面域に対して閉成した際に、図１５(ａ)および図１７(ａ)に示すように、第１の開閉連結装置Ｃ１および第２の開閉連結装置Ｃ２における各第１支軸２７が、前記ガイド溝３０に沿って左方向へ移動して該溝３０の左端部に到来すると共に、各第３支軸２９が前記第１庇部２４の下方または上方へ移動することにより、各第２支持部材２１が第１支持部材２０の前端部に沿って左右横方向へ姿勢制御されるから、外枠Ａの各枠部材１０,１１,１２,１３の前端面に対して密着的に整合するようになる。この時、前枠Ｂの左側端部は、外枠Ａの左側端部と整合一致する。
【００４９】
そして前枠Ｂの全閉状態にあって、第１の開閉連結装置Ｃ１における第１支持部材２０の第１庇部２４は、図１５(ａ)に示すように、該前枠Ｂの上端縁に近接してその前端縁が前枠Ｂから前方へ突出せず、また第２の開閉連結装置Ｃ２における第１支持部材２０の第１庇部２４は、図１７(ａ)に示すように、該前枠Ｂの下端縁に近接してその前端縁が前枠Ｂから前方へ突出しないように設定されている。これにより実施例の縦型遊技機Ｐでは、第１の開閉連結装置Ｃ１および第２の開閉連結装置Ｃ２が外枠Ａおよび前枠Ｂから全く突出しないから、倒伏状態での段積みを行ない易くなると共に、搬送作業やホールの設置枠台への設置作業を行なう作業員が負傷する原因となることもない。
【００５０】
一方、外枠Ａに閉成されていた前枠Ｂの開放変位の初期段階では、図１５(ｂ)および図１７(ｂ)に示すように、第１の開閉連結装置Ｃ１および第２の開閉連結装置Ｃ２における各第１支軸２７が前記ガイド溝３０に沿って右方向へ適宜移動すると共に、各第３支軸２９が前記第１庇部２４の下方または上方から前方へ円弧状に移動することにより、各第２支持部材２１が図示右方向へ移動しながら回動するようになるから、これに伴って前枠Ｂも右方向へ移動しながら開放する。従って、外枠Ａの左枠部材１１の前側に位置していた前枠Ｂの左側部分が、該外枠Ａの右方向(外枠Ａの前面中央方向)へ移動するから、該左枠部材１１と前枠Ｂとの干渉が好適に回避されて前枠Ｂの開放変位に支障を来すことがない。
【００５１】
そして、前枠Ｂの開放変位の最終段階では、図１６および図１８に示すように、第１の開閉連結装置Ｃ１および第２の開閉連結装置Ｃ２における各第１支軸２７が、前記ガイド溝３０に沿って更に右方向へ移動して該溝３０の右端部に到来すると共に、各第３支軸２９が更に前方へ円弧状に移動することにより、各第２支持部材２１が更に図示右方向へ移動しながら回動するから、これに伴って前枠Ｂも右方向へ移動しながら開放する。この時、前枠Ｂの左側部分は、外枠Ａの上枠部材１０の前端面および下枠部材１３の上端面に沿って移動する。そして、各第１支軸２７がガイド溝３０の右端部まで到来すると、前枠Ｂが９０度以上の最大開放状態となり、これ以上の開放変位が規制されるに至る。
【００５２】
なお実施例では、各開閉連結装置Ｃ１,Ｃ２における各ガイド溝３０の長さおよび各アーム部材２２の長さの設定により、外枠Ａに対する前枠Ｂの最大開放角度Ｒが、９０度以上で概ね１００度程度に設定されている。これにより、前記外枠Ａが遊技ホールの設置枠台に対して適宜の後傾状態で設置されることを前提とすれば、９０度以上に開放している前枠Ｂは更に開放方向へ変位しようとするから、外枠Ａ側の開口前面側へ回動して勝手に閉成してしまう不都合が回避される。しかも、第１の開閉連結装置Ｃ１および第２の開閉連結装置Ｃ２では、ガイド溝３０の右端に到来した夫々の第１支軸２７を前記凹部３０ａへ整合させれば、該第１支軸２７がガイド溝３０の左方向へ移動することが適宜規制され、これにより全開状態の前枠Ｂが不用意に閉成してしまうことが好適に防止される。なお第１の開閉連結装置Ｃ１では、第１支持部材２０におけるガイド溝３０の出入口５２が前記開閉レバー４２で閉成されているから、第１支軸２７が該ガイド溝３０から離脱することがない。
【００５３】
前記各開閉連結装置Ｃ１,Ｃ２は、第１支持部材２０と第２支持部材２１とが、単一のアーム部材２２を介して連結されたシンプルな構造であるから、第２支持部材２１の移動および回動による姿勢変位が極めてスムーズになされ、従って外枠Ａに対する前枠Ｂの開閉も円滑になされる。
【００５４】
そして前枠Ｂの全開状態においては、図１６および図１８から明らかなように、該前枠Ｂの左側部分が外枠Ａの前面中央方向へ移動して前記第１支持部材２０の略中間部分に到来するから、外枠Ａの左側端部と前枠Ｂとの間に間隔Ｈが形成される。これにより、前枠Ｂの前面に各種の構成部材(図示せず)が突出状態に設置固定されていたとしても、これら構成部材が図示しない左側の遊技機や台間サンド等に干渉することがなくなり、前述した１００度程度の最大開放角度Ｒが確保されると共に前記構成部材の破損等が回避される。
【００５５】
また実施例の各開閉連結装置Ｃ１,Ｃ２では、第１支持部材２０と第２支持部材２１とを連結する前記アーム部材２２を平面「へ字形」に成形してあることにより、図１６および図１８から明らかな如く、前枠Ｂを全開状態に開放した際には、夫々のアーム部材２２における長片部８０,１１１が第１支持部材２０(外枠Ａ)と重合し、また短片部８１,１１２が第２支持部材２１(前枠Ｂ)と重合するようになり、外枠Ａと前枠Ｂとのコーナー部分へ殆ど露出しない。従って、前枠Ｂを開放させてメンテナンス作業や部品交換作業等を行なうに際し、各アーム部材２２が邪魔になることがない。
【００５６】
一方、前枠Ｂの全開状態においては、図１８から明らかなように、第２の開閉連結部材Ｃ２におけるアーム部材２２の前記短片部１１２が前枠Ｂの下側へ入り込むようになるから、この短片部１１２の上面における略全域で前枠Ｂの重量を受け止めるようになり、該前枠Ｂの好適な支持が可能になると共に、アーム部材２２に部分的な集中荷重が加わる不都合が回避される。更には、アーム部材２２を平面「へ字形」に成形したことにより、全開状態の前枠Ｂを閉成するに際して、該アーム部材２２が突張って閉成動作を規制してしまうこともない。
【００５７】
更に、実施例の各開閉連結装置Ｃ１,Ｃ２では、外枠Ａに対して前枠Ｂを開放させるに際し、第２支軸２８を中心に旋回動するアーム部材２２が、常にはアーム保持部材４３,９６で下方または上方から保持されているから、前枠Ｂの開放変位時やこれ以外の適時に、該アーム部材２２と第１支持部材２０との連結が解除されてしまう不都合が発生することもない。
【００５８】
(外枠に対する前枠の組外し)
次に、前記第１の開閉連結装置Ｃ１および第２の開閉連結装置Ｃ２を利用して外枠Ａに組付けられていた前枠Ｂを、該外枠Ａから組外す際の態様につき説明する。実施例の縦型遊技機Ｐでは、前枠Ｂを外枠Ａから組外すに際し、夫々の開閉連結装置Ｃ１,Ｃ２において、先ずアーム部材２２と第１支持部材２０との連結を解除し、次いで第２支持部材２１と第１支持部材２０との連結を解除する。すなわち、外枠Ａに対して前枠Ｂを全開させて各第１支軸２７をガイド溝３０の凹部３０ａに保持させたもとで、先ず第１の開閉連結装置Ｃ１では、前記支軸係脱部材２３により前記第２支軸２８を前記第２位置に変位させて該第２支軸２８を支軸孔３１から引抜けば、アーム部材２２と第１支持部材２０との連結が容易に解除される。また第２の開閉連結装置Ｃ２では、前記支軸係脱部材２３により前記第２支軸２８を前記第２位置に変位させて該第２支軸２８を支軸孔３１から引抜けば、アーム部材２２と第１支持部材２０との連結が容易に解除される。
【００５９】
次いで、前記第１の開閉連結装置Ｃ１においては、図１２に示すように、前記開閉レバー４２を指先操作で第２位置に変位回動させて前記出入口５２を開放したもとで、該ガイド溝３０に係合されている第１支軸２７を、該出入口５２を介して軸受入口６２から外側へ引出せば、第２支持部材２１と第１支持部材２０との連結が完全に解除される。そして、前枠Ｂ全体を上方へ適宜持ち上げれば、第２の開閉連結装置Ｃ２においては、第１支軸２７がガイド溝３０から抜け出て第２支持部材２１と第１支持部材２０との連結が完全に解除される。これにより、第１および第２の各開閉連結装置Ｃ１,Ｃ２の連結が何れも解除されるから、外枠Ａから前枠Ｂが完全に組外される。
【００６０】
このように実施例の開閉連結装置Ｃ１,Ｃ２では、第２支軸２８を支軸孔３１から抜出すと共に第１支軸２７をガイド溝３０から引出すだけの簡単な操作で、前枠Ｂに配設した第２支持部材２１と外枠Ａに配設した第１支持部材２０との連結が解除され、前枠Ｂを外枠Ａから簡単かつ容易に組外し得る。また、夫々の開閉連結装置Ｃ１,Ｃ２では、アーム部材２２と第１支持部材２０との連結を解除するに際し、各第１支軸２７をガイド溝３０の凹部３０ａに仮に保持させるおくことができるから、前枠Ｂが不意に動くことなく当該連結解除作業を行ない得る。
【００６１】
なお前記実施例では、ガイド溝３０に係合する第１支軸２７を第３庇部２６に対して固定的に立設したものを例示したが、この第１支軸２７を回動可能なものとすれば、ガイド溝３０に沿って移動する際に転動するようになるから、前枠Ｂの開閉の更なる円滑化が期待できる。
【００６２】
そして実施例では、各開閉連結装置Ｃ１,Ｃ２における第１支持部材２０に形成したガイド溝３０に関し、該第１支持部材２０の前側において左右横方向へ直線状に延在するものを例示した。しかしこのガイド溝３０は、前枠Ｂの円滑かつ確実な開閉がなされることを前提として、円弧状や楕円弧状またはスプライン状のものでもよく、またその延在方向も様々に設定し得る。
【００６３】
また前記実施例では、外枠Ａおよび前枠Ｂの左側縁部における上部および下部に夫々開閉連結装置Ｃ１,Ｃ２を配設するようにしたから、外枠Ａに対する前枠Ｂの連結強度および円滑な開放変位が保証される。但し、外枠Ａに対する前枠Ｂの連結強度および円滑な開放変位が保証される場合は、１つの開閉連結装置だけで前枠Ｂを外枠Ａに連結するようにしてもよい。一方、外枠Ａに対する前枠Ｂの連結強度を向上させる必要がある場合は、３つ以上の開閉連結装置を配設するようにしてもよい。
【００６４】
更に、２つ以上の開閉連結装置を配設する場合は、少なくとも１つの開閉連結装置に前記ガイド溝３０および第１支軸２７を設けておけば、前枠Ｂを開放する際の前述のような姿勢制御を好適に行ない得る。
【００６５】
そして前記実施例では、第１の開閉連結装置Ｃ１にのみ開閉レバー４２を設け、第２の開閉連結装置Ｃ２には開閉レバーを設けない形態を例示したが、この第２の開閉連結装置Ｃ２も開閉レバー４２を設けたタイプとしてもよい。
【００６６】
また、第２支軸２８を第１位置および第２位置に変位させるための支軸係脱手段２３は、実施例に示した形態のものに限定されるものではない。例えば、前記第２支軸２８と一体的に形成される前記軸体８７,１１７を、対応のアーム部材２３,２３に対して螺合状態で配設されるネジ形態とし、この軸体８７,１１７を回転させながら軸方向へ移動させることで第２支軸２８を前記第１位置および第２位置へ変位させる形態でもよい。
【００６７】
【発明の効果】
以上説明した如く、本発明に係る縦型遊技機の開閉連結装置は、固定体側に配設される第１支持部材と、開閉体側に配設される第２支持部材と、第２支軸および第３支軸によりこれら第１支持部材および第２支持部材に回動可能に端部連結されるアーム部材と、アーム部材と第１支持部材との連結・分離を図る支軸係脱手段で構成され、第２支持部材およびアーム部材が第１支持部材に対して簡単に連結し得ると共に簡単に連結解除し得る構造であるから、固定体に対する開放体の組付け、組外しが簡単かつ容易に行ない得る利点がある。しかも、アーム部材と第１支持手段との連結・分離は、前記支軸係脱手段による操作により第２支軸を変位させるだけで簡単に行ない得る。
そして第１の開閉連結装置では、ガイド溝に出入口が形成されているから、該ガイド溝に対する第１支軸の係脱をこの出入口を介して簡単に行なうことができる。しかも前記出入口は、開閉部材により開閉されるようになっているから、ガイド溝に係合された第１支軸が該ガイド溝から不用意に離脱することも防止される。
また、第１支持部材と第２支持部材が単一のアーム部材で連結されたシンプルな構造であるから、組立てが簡単でかつ短時間で行なうことができ、組立作業の容易化および合理化を図り得る利点がある。更には、部品点数が少ないから部品コストが低減される一方、組立作業の合理化により作業コストも低減されるから、縦型遊技機の製造コスト低減を図り得る有益な効果を奏する。
そして、前記開閉連結装置を利用して開閉体および固定体の一側縁同士を連結支持したもとで該開閉体を該固定体から開放させる際には、ガイド溝に沿う第１支軸の移動と、アーム部材の回動による第３支軸の円弧移動とにより、第２支持部材がスライド変位しながら回動変位して開閉体の一側縁が固定体の前面中央方向へ移動するようになるから、該開閉体の前面に装着された各種構成部材が、当該遊技機の一側縁の側に設置された遊技機や台間サンド等に干渉することがなくなる。従って、開閉体の開放角度が充分に確保されると共に、前記構成部材の破損等が回避される等の効果を奏する。
なお、固定体および開閉体の一側縁における上部同士を第１の開閉連結装置で連結すると共に、固定体および開閉体の一側縁における下部同士を第２の開閉連結装置で連結することにより、固定体に対する開閉体の開放が円滑になされる。
【図面の簡単な説明】
【図１】本発明の好適実施例に係る開閉連結装置を実施した縦型遊技機を、固定体としての外枠に対して開閉体としての前枠を閉成した状態で示す概略斜視図である。
【図２】実施例の開閉連結装置を実施した縦型遊技機を、外枠から前枠を開放した状態で示す概略斜視図である。
【図３】外枠および前枠における左側縁の上部同士を連結支持する第１の開閉連結装置の分解斜視図である。
【図４】  (ａ)は、第１の開閉連結装置を構成する支軸係脱部材を第２位置とした状態の斜視図、(ｂ)は、該支軸係脱部材を第１位置とした状態の斜視図である。
【図５】第１の開閉連結装置を構成する支軸係脱部材の各態様を示す断面図であって、(ａ)は、本体に軸体を挿入する前状態を示し、(ｂ)は、本体に軸体の第２支軸を挿入した状態を示し、(ｃ)は、第２位置とした状態を示し、(ｄ)は、本体に軸体を完全に挿入して第２支軸を突出させた状態を示し、(ｅ)は、軸体を回動することで第１位置とした状態を示している。
【図６】  (ａ)は、外枠に前枠を閉成した際の第１の開閉連結装置の態様を示す斜視図であり、(ｂ)は、外枠から前枠を開放した際における第１の開閉連結装置の態様を示す斜視図である。
【図７】外枠および前枠における左側縁の下部同士を連結支持する第２の開閉連結装置の分解斜視図である。
【図８】  (ａ)は、第２の開閉連結装置を構成する支軸係脱部材を第１位置とした状態の斜視図、(ｂ)は、該支軸係脱部材を第２位置とした状態の斜視図である。
【図９】第２の開閉連結装置を構成する支軸係脱部材の各態様を示す側面図であって、(ａ)は、各構成部材を分解状態で示し、(ｂ)は、第１位置とした状態を示し、(ｃ)は、軸体を上方へ引張ることで第２位置とした状態を示している。
【図１０】  (ａ)は、外枠に前枠を閉成した際の第２の開閉連結装置の態様を示す斜視図であり、(ｂ)は、外枠から前枠を開放した際の第２の開閉連結装置の態様を示す斜視図である。
【図１１】第１の開閉連結装置における第１支持部材のガイド溝と第２支持部材の第１支軸とが係合する過程を経時的に示す平面図であって、(ａ)は、軸受入口に第１支軸を位置決めした状態を示し、(ｂ)は、第１支軸で開閉レバーを回動変位させることで出入口が開放した状態を示し、(ｃ)は、出入口を介して第１支軸をガイド溝に係合させることで、開閉レバーが該出入口を閉成した状態を示している。
【図１２】第１の開閉連結装置における第１支持部材のガイド溝と第２支持部材の第１支軸との係合を解除する過程を経時的に示す平面図であって、(ａ)は、前枠を開放してガイド溝の右端に第１支軸を移動させた状態を示し、(ｂ)は、開閉レバーを指先で第２位置へ開放させることで出入口が開放した状態を示し、(ｃ)は、出入口を介して第１支軸をガイド溝から引出すことで、第１支持部材と第２支持部材との連結を解除した状態を示している。
【図１３】第１および第２の各開閉連結装置における第２支持部材の第１支軸を第１支持部材のガイド溝に係合させることで、外枠に対して前枠を仮組付けした状態で示す概略斜視図である。
【図１４】  (ａ)は、第１の各開閉連結装置における第２支持部材の第１支軸を第１支持部材のガイド溝に係合させることで、外枠に対して前枠を仮組付けした状態を示す要部平面図であり、(ｂ)は、アーム部材を第１支持部材に連結することで、外枠に対して前枠を組付け完了した状態を示す要部平面図である。
【図１５】  (ａ)は、外枠に前枠を完全に閉成した状態で示す両枠の左側縁上部の平面図であり、(ｂ)は、前枠の開放初期段階で示す両枠の左側縁上部の平面図である。
【図１６】外枠から前枠を完全に開放した状態で示す両枠の左側縁上部の平面図である。
【図１７】  (ａ)は、外枠に前枠を完全に閉成した状態で示す両枠の左側縁下部の平断面図であり、(ｂ)は、前枠の開放初期段階で示す両枠の左側縁下部の平断面図である。
【図１８】外枠から前枠を完全に開放した状態で示す両枠の左側縁下部の平断面図である。
【符号の説明】
２０  第１支持部材
２１  第２支持部材
２２  アーム部材
２３  支軸係脱部材(支軸係脱手段)
２７  第１支軸
２８  第２支軸
２９  第３支軸
３０  ガイド溝
３１  支軸孔
４２  開閉レバー(開閉部材)
５２  出入口
Ａ  外枠(固定体)
Ｂ  前枠(開閉体)
Ｃ１  第１の開閉連結装置
Ｃ２  第２の開閉連結装置
【図１】
0004320460.tif 000002
【図２】
0004320460.tif 000003
【図３】
0004320460.tif 000004
【図４】
0004320460.tif 000005
【図５】
0004320460.tif 000006
【図６】
0004320460.tif 000007
【図７】
0004320460.tif 000008
【図８】
0004320460.tif 000009
【図９】
0004320460.tif 000010
【図１０】
0004320460.tif 000011
【図１１】
0004320460.tif 000012
【図１２】
0004320460.tif 000013
【図１３】
0004320460.tif 000014
【図１４】
0004320460.tif 000015
【図１５】
0004320460.tif 000016
【図１６】
0004320460.tif 000017
【図１７】
0004320460.tif 000018
【図１８】
0004320460.tif 000019